(57)【要約】    【目的】  リベットを用いることなく表紙部材の間に複数冊のノートを綴じ込んで冊子とすることで、貴重な思い出の詰まったノートそのものに孔を開けることなく、高級感溢れた豪華な冊子を容易に作ることができる製本キットを提供する。    【構成】  表紙部材１０Ａの表表紙１４と裏表紙１６との間に複数冊のノートを綴じ込んで冊子とするための製本キット１００Ａであって、角背タイプの背表紙１２Ａの両側縁に表表紙１４及び裏表紙１６が設けられた表紙部材１０Ａと、表紙部材１０Ａの表表紙１４に接着固定された表見返し部材２０と、表紙部材１０Ａの裏表紙１６に接着固定された裏見返し部材３０と、複数冊のノートＮ同士を貼り付けるための両面テープ４０とを備え、表見返し部材２０のノート貼り付け面２４及び裏見返し部材３０のノート貼り付け面３４には別の両面テープ４２が貼り付けられていることを特徴とする製本キット。【選択図】  図１
0003102013.tif 000002
【実用新案登録請求の範囲】
【請求項１】
表紙部材の表表紙と裏表紙との間に複数冊のノートを綴じ込んで冊子とするための製本キットであって、
背表紙の両側縁に表表紙及び裏表紙が設けられた表紙部材と、前記表紙部材の表表紙に接着固定された表見返し部材と、前記表紙部材の裏表紙に接着固定された裏見返し部材と、複数のノート同士を貼り付けるための両面テープとを備え、
前記表見返し部材のノート貼り付け面及び前記裏見返し部材のノート貼り付け面には両面テープが貼り付けられていることを特徴とする製本キット。 
【請求項２】
請求項１に記載の製本キットにおいて、
前記表紙部材における背表紙は、角背タイプの背表紙であることを特徴とする製本キット。
【請求項３】
請求項２に記載の製本キットにおいて、
複数冊のノートからなるノート集合体の背に貼り付ける花布をさらに備えたことを特徴とすることを特徴とする製本キット。
【請求項４】
請求項１に記載の製本キットにおいて、
前記表紙部材における背表紙は丸背タイプの背表紙であり、この背表紙の内側には背側が背表紙の形状に対応する形状を有するとともに腹側が平面形状を有する背芯が貼り付けられていることを特徴とすることを特徴とする製本キット。
【請求項５】
請求項４に記載の製本キットにおいて、
前記表紙部材における背表紙と前記背芯との間には花布が取り付けられていることを特徴とすることを特徴とする製本キット。
【請求項６】
表紙部材の表表紙と裏表紙との間に複数冊のノートを綴じ込んで冊子とするための製本キットであって、
丸背タイプの背表紙の両側縁に表表紙及び裏表紙が設けられた表紙部材と、前記表紙部材の表表紙に接着固定された表見返し部材と、前記表紙部材の裏表紙に接着固定された裏見返し部材と、複数のノート同士を接着してノート集合体を作製するための液状接着剤と、前記ノート集合体の背に貼る背貼り用紙とを備え、
前記表見返し部材のノート貼り付け面及び前記裏見返し部材のノート貼り付け面には両面テープが貼り付けられていることを特徴とする製本キット。
【請求項７】
請求項６に記載の製本キットにおいて、
前記背表紙の内側には丸背タイプの形状を有する背芯が貼り付けられていることを特徴とすることを特徴とする製本キット。
【請求項８】
請求項６又は７に記載の製本キットにおいて、
複数冊のノートを丸背タイプに対応するように整列した状態でこれら複数のノートの背の部分に前記液状接着剤を付けるために用いる整列治具をさらに備えたことを特徴とする製本キット。
【請求項９】
請求項６〜８のいずれかに記載の製本キットにおいて、
前記背貼り用紙の背に貼り付ける花布をさらに備えたことを特徴とすることを特徴とする製本キット。
【請求項１０】
請求項１〜９のいずれかに記載の製本キットにおいて、
前記表紙部材は布クロス製の表紙部材であることを特徴とする製本キット。
【請求項１１】
請求項１〜１０のいずれかに記載の製本キットにおいて、
前記表見開き部材及び／又は前記裏見開き部材には、使用者が書込み可能な書き込み欄が印刷されている又は使用者が書込み可能なインデックスが貼り付けられていることを特徴とする製本キット。
【請求項１２】
請求項１〜１０のいずれかに記載の製本キットにおいて、
綴じ込むノートと同じ平面サイズのノートをさらに備えたことを特徴とする製本キット。
【請求項１３】
表紙部材の表表紙と裏表紙との間に複数枚の用紙を綴じ込んで冊子とするための製本キットであって、
丸背タイプの背表紙の両側縁に表表紙及び裏表紙が設けられた表紙部材と、前記表紙部材の表表紙に接着固定された表見返し部材と、前記表紙部材の裏表紙に接着固定された裏見返し部材と、複数の用紙同士を接着して用紙集合体を作製するための液状接着剤と、前記用紙集合体の背に貼る背貼り用紙とを備え、
前記表見返し部材の用紙貼り付け面及び前記裏見返し部材の用紙貼り付け面には両面テープが貼り付けられていることを特徴とする製本キット。
【請求項１４】
請求項１〜１３のいずれかに記載の製本キットであって、
前記表見返し部材及び前記裏見返し部材に代えて、両面テープが貼り付けられていない表見返し部材及び裏見返し部材を備えるとともに、前記表見返し部材とノート又は用紙とを貼り付けるための両面テープ及び前記裏見返し部材とノート又は用紙とを貼り付けるための両面テープとをさらに備えたことを特徴とする製本キット。 
【考案の詳細な説明】
【技術分野】
【０００１】
本考案は、表紙部材の間に複数冊のノートを綴じ込んで冊子とするための製本キットに関する。 
【背景技術】
【０００２】
入学以来保存しているノートを記念に残しておきたいという要求がある。しかしながら、これらのノートをそのまま書棚に飾って（保管して）おくにはノートの数が多すぎる。そうかといって、これらのノートを段ボール箱等に梱包して保管するようにすると、ノートを見たいときにすぐ見ることができないという不便がある。
【０００３】
そこで、本考案の考案者は、このような不便を解消するための方法として、入学以来保存しているノートのうち特に思い出のあるノートを抜粋して残しておくとともに、これらのノートを製本して冊子にすればよいことに思い至った。このようにすれば、記念に残しておく対象のノートが適当な数にまで減るため、また冊子を高級感溢れる冊子とすることができるため、製本した冊子をそのまま書棚に飾って（保管して）おくことができるようになる。
また、この結果、これらのノート（冊子）を書棚に飾って（保管して）おくことができるようになるため、これらのノート（冊子）を見たいときにすぐ見ることができるようになり、これらのノート（冊子）の利用価値を高めることができることにもなる。
さらにまた、これらのノート（冊子）を高級感溢れる豪華な冊子（上製本）にすれば、一生の思い出になる素晴らしい冊子とすることができる。
【０００４】
ところで、このような要求を満たすには、記念として残しておきたいノートを抜粋して、製本屋にもちこんで製本をしてもらう方法がある。
しかしながら、この方法は、製本屋が依頼者一人一人に対して対応する必要があるため、極めて価格が高いものとなるという問題があった。さらには、このようなサービスは一般的なものではないため、このようなサービスを受けられるか否か、値段、納期などがどの程度かなどが不明であるため、このようなサービスを利用しづらいという問題があった。
【０００５】
一方、近年、パソコン等の写真情報等を基にオリジナルのアルバムや書籍等の表紙付き綴じ込み冊子を作製する製本キットが提案されている（例えば、特許文献１参照。）。図６は、この製本キットにより作製された冊子を分解して示す図である。この製本キットは、図６に示すように、表紙部材９０１と、表見返し部材９０２ａ及び裏見返し部材９０２ｂと、印刷用紙９０３と、両見返し部材９０２ａ，９０２ｂ及び印刷用紙９０３を綴じ込むための２本のリベット（図示せず。）とを備えている。この製本キットによれば、孔９２５ａ，９２５ｂの開いた両見返し部材９０２ａ，９０２ｂ及び孔９３５の開いた印刷用紙９０３を重ね合わせて、リベットにより綴じ合わせるとともに、両表見返し部材９０２ａ，９０２ｂを表紙部材９０１の内面に接着固定するだけで、綴じ込み冊子を作製することができるという特徴をもっている。  
【０００６】
【特許文献１】特開２００３−１７０６７５号公報
【考案の開示】
【考案が解決しようとする課題】
【０００７】
しかしながら、特許文献１の製本キットにおいては、見返し部材及び印刷用紙をリベットにより綴じ合わせる必要があるため、特許文献１の方法を用いて表紙部材の間に複数冊のノートを綴じ込むこととした場合には、貴重な思い出の詰まったノートそのものに孔を開けなければならないという問題がある。また、その結果、孔の開いた部分においては貴重な書込みが失われてしまうという問題もある。さらにまた、リベットを用いて製本を行うため、高級感溢れる冊子とすることが容易ではないという問題がある。 
【０００８】
本考案は、上記のような実情に鑑みてなされたものであり、リベットを用いることなく表紙部材の間に複数冊のノートを綴じ込んで冊子とすることで、貴重な思い出の詰まったノートそのものに孔を開けることなく、高級感溢れる豪華な冊子を容易に作製することができる製本キットを提供することを目的とする。
【課題を解決するための手段】
【０００９】
（１）本考案の製本キットは、表紙部材の表表紙と裏表紙との間に複数冊のノートを綴じ込んで冊子とするための製本キットであって、背表紙の両側縁に表表紙及び裏表紙が設けられた表紙部材と、前記表紙部材の表表紙に接着固定された表見返し部材と、前記表紙部材の裏表紙に接着固定された裏見返し部材と、複数冊のノート同士を貼り付けるための両面テープとを備え、前記表見返し部材のノート貼り付け面及び前記裏見返し部材のノート貼り付け面には両面テープが貼り付けられていることを特徴とする。 
【００１０】
このため、本考案の製本キットによれば、表見返し部材のノート貼り付け面及び裏見返し部材のノート貼り付け面には両面テープが貼り付けられているため、この両面テープを用いることによって、極めて簡便な方法で（はさみやのりを用いることなく）、表紙部材の間に複数冊のノートを綴じ込んで冊子とすることができる。
また、本考案の製本キットによれば、表見返し部材のノート貼り付け面及び裏見返し部材のノート貼り付け面には両面テープが貼り付けられているため、この両面テープを用いることによって、リベットを用いることなく表紙部材の間に複数冊のノートを綴じ込んで冊子とすることができる。このため、貴重な思い出の詰まったノートに孔を開けることなく、高級感溢れる豪華な冊子を作ることができるようになる。
【００１１】
さらにまた、本考案の製本キットによれば、複数冊のノート同士を貼り付けるための両面テープを備えているため、極めて簡単な方法で（はさみやのりを用いることなく）、表紙部材の間に複数冊のノートを綴じ込んで冊子とすることができるようになる。
【００１２】
（２）上記（１）に記載の製本キットは、前記表紙部材における背表紙は、角背タイプの背表紙であることが好ましい。
【００１３】
このように構成することにより、極めて簡便な方法で、本物の角背タイプの上製本に近い冊子を作製することができるようになる。
【００１４】
（３）上記（２）に記載の製本キットは、前記複数刷冊のノートからなるノート集合体の背に貼り付ける花布をさらに備えたものであることが好ましい。
【００１５】
このように構成することにより、冊子にさらに高級感を付与することができる。
【００１６】
（４）上記（１）に記載の製本キットにおいては、表紙部材における背表紙は丸背タイプの背表紙であり、この背表紙の内側には背側が背表紙の形状に対応する形状を有するとともに腹側が平面形状を有する背芯が貼り付けられていることが好ましい。
【００１７】
このように構成することにより、上記のような背芯を背表紙の内側に貼り付けるだけの簡便な方法で、本物の丸背タイプの上製本に近い冊子を作製することができるようになる。
【００１８】
（５）上記（４）に記載の製本キットにおいては、前記表紙部材における背表紙と前記背芯との間には花布が取り付けられていることが好ましい。
【００１９】
このように構成することにより、冊子にさらに高級感を付与することができる。
【００２０】
（６）本考案の製本キットは、表紙部材の表表紙と裏表紙との間に複数冊のノートを綴じ込んで冊子とするための製本キットであって、丸背タイプの背表紙の両側縁に表表紙及び裏表紙が設けられた表紙部材と、前記表紙部材の表表紙に接着固定された表見返し部材と、前記表紙部材の裏表紙に接着固定された裏見返し部材と、複数冊のノート同士を接着してノート集合体を作製するための液状接着剤と、前記ノート集合体の背に貼る背貼り用紙とを備え、前記表見返し部材のノート貼り付け面及び前記裏見返し部材のノート貼り付け面には両面テープが貼り付けられていることを特徴とする。 
【００２１】
このため、本考案の製本キットによれば、表見返し部材のノート貼り付け面及び裏見返し部材のノート貼り付け面には両面テープが貼り付けられているため、この両面テープを用いることによって、極めて簡便な方法で（はさみやのりを用いることなく）、表紙部材の間に複数冊のノートからなるノート集合体を綴じ込んで冊子とすることができる。
また、本考案の製本キットによれば、表見返し部材のノート貼り付け面及び裏見返し部材のノート貼り付け面には両面テープが貼り付けられているため、この両面テープを用いることによって、リベットを用いることなく表紙部材の間に複数冊のノートからなるノート集合体を綴じ込んで冊子とすることができる。このため、貴重な思い出の詰まったノートに孔を開けることなく、高級感溢れる冊子を作ることができるようになる。
【００２２】
また、本考案の製本キットによれば、複数冊のノート同士を接着してノート集合体を作製するための液状接着剤を備えているため、比較的簡単な方法で（はさみやのりを用いることなく）、複数冊のノートからなるノート集合体を作製することができるようになり、結果として、比較的簡便な方法で、表紙部材の間に複数冊のノートを綴じ込んで冊子とすることができるようになる。
さらにまた、本考案の製本キットによれば、液状接着剤を用いて複数冊のノートからノート集合体を作製するようにしているため、複数冊のノートを丸背タイプの背表紙のカーブに合わせて接着してノート集合体とすることができるようになる。このため、上記（４）で説明した背芯を用いることなく、さらに高級感溢れる本格的な丸背タイプの冊子を作成することができるようになる。
【００２３】
（７）上記（７）に記載の製本キットにおいては、前記背表紙の内側には丸背タイプの形状を有する背芯が貼り付けられていることも好ましい。
【００２４】
このように構成することにより、ノート集合体の背の形状が少々不揃いな場合であっても、背表紙の形状を、しっかりした丸背タイプの背表紙の形状とすることができるようになる。
【００２５】
（８）上記（６）〜（７）に記載の製本キットは、複数冊のノートを丸背タイプに対応するように整列した状態でこれら複数のノートの背の部分に前記液状接着剤を付けるために用いる整列治具をさらに備えたものであることが好ましい。
【００２６】
このように構成することにより、整列治具の底面形状を丸背タイプの背表紙のカーブに合わせて作製しておけば、複数冊のノートを整列治具上で整列するだけの簡単な操作で、複数冊のノート同士が丸背タイプの背表紙のカーブに対応するように整列したノート集合体を作製することができるようになる。
【００２７】
（９）上記（６）〜（８）のいずれかに記載の製本キットは、前記背貼り用紙の背部分に貼り付ける花布をさらに備えたものであることが好ましい。
【００２８】
このように構成することにより、冊子にさらに高級感を付与することができる。
【００２９】
（１０）上記（１）〜（９）のいずれかに記載の製本キットにおいては、前記表紙部材は布クロス製の表紙部材であることが好ましい。
【００３０】
このように構成することにより、上記したような冊子をさらに高級感溢れる豪華な冊子とすることができ、貴重な思い出の詰まったノートを一生の思い出になる素晴らしい冊子とすることができる。
【００３１】
（１１）上記（１）〜（１０）のいずれかに記載の製本キットにおいては、前記表見開き部材及び／又は前記裏見開き部材には、使用者が書込み可能な書き込み欄が印刷されている又は使用者が書込み可能なインデックスが貼り付けられていることが好ましい。
【００３２】
このように構成することによれば、例えば、この書き込み欄又はインデックスに思い出メモを書き込むことができるようになり、冊子の価値をさらに高めることができる。
【００３３】
（１２）上記（１）〜（１０）のいずれかに記載の製本キットにおいては、綴じ込むノートと同じ平面サイズのノートをさらに備えたものであることが好ましい。
【００３４】
このように構成することにより、例えば、このノートに思い出メモを書き込んだり、写真や記念の品物を貼ったりすることができるようになる。このため、このノートを冊子に一緒に綴じ込むことにより、冊子の価値をさらに高めることができる。
【００３５】
（１３）本考案の製本キットは、表紙部材の表表紙と裏表紙との間に複数枚の用紙を綴じ込んで冊子とするための製本キットであって、丸背タイプの背表紙の両側縁に表表紙及び裏表紙が設けられた表紙部材と、前記表紙部材の表表紙に接着固定された表見返し部材と、前記表紙部材の裏表紙に接着固定された裏見返し部材と、複数の用紙同士を接着して用紙集合体を作製するための液状接着剤と、前記用紙集合体の背に貼る背貼り用紙とを備え、前記表見返し部材の用紙貼り付け面及び前記裏見返し部材の用紙貼り付け面には両面テープが貼り付けられていることを特徴とする。
【００３６】
このため、複数冊のノートの代わりに複数枚の用紙を用いても、上記（６）に記載の製本キットで得られる効果と同様の効果を得ることができる。
【００３７】
（１４）上記（１）〜（１３）のいずれかに記載の製本キットにおいては、前記表見返し部材及び前記裏見返し部材に代えて、両面テープが貼り付けられていない表見返し部材及び裏見返し部材を備えるとともに、前記表見返し部材とノート又は用紙とを貼り付けるための両面テープ及び前記裏見返し部材とノート又は用紙とを貼り付けるための両面テープとをさらに備えたものとすることもできる。
【００３８】
このように構成することによっても、両面テープを用いてノート又は用紙を表紙部材に貼り付けることによって、上記（１）〜（１３）に記載の製本キットで得られる効果と同様の効果を得ることができる。
【考案を実施するための最良の形態】
【００３９】
以下、本考案の製本キットを図に示す実施の形態に基づいて説明する。
【００４０】
［実施形態１]
Ａ．製本キットの構成
図１は、本考案の実施形態１に係る製本キットを説明するために示す図である。図１（ａ）は製本キットの構成を示す図であり、図１（ｂ）は、作製過程におけるノート集合体（表紙部材１０Ａ等は図示せず。）の斜視図であり、図１（ｃ）は、作製された冊子の斜視図である。
【００４１】
実施形態１に係る製本キット１００Ａは、図１（ｃ）に示すように、角背タイプの表紙部材の間に複数冊のノートを綴じ込んで冊子２００Ａとするための製本キットである。そして、図１（ａ）〜（ｃ）に示すように、角背タイプの背表紙１２Ａの両側縁に表表紙１４及び裏表紙１６が設けられた表紙部材１０Ａと、表紙部材１０Ａの表表紙１４に接着固定された表見返し部材２０と、表紙部材１０Ａの裏表紙１６に接着固定された裏見返し部材３０と、複数冊のノートＮ同士を貼り付けるための両面テープ４０とを備え、表見返し部材２０のノート貼り付け面２４及び裏見返し部材３０のノート貼り付け面３４にはのどの部分（綴り側）に別の両面テープ４２が貼り付けられている。
【００４２】
このため、実施形態１に係る製本キット１００Ａによれば、表見返し部材２０のノート貼り付け面２４及び裏見返し部材３０のノート貼り付け面３４には別の両面テープ４２が貼り付けられているため、この別の両面テープ４２を用いることによって、極めて簡便な方法で（はさみやのりを用いることなく）、表紙部材１０Ａの間に複数冊のノートＮを綴じ込んで冊子とすることができる。
また、実施形態１に係る製本キット１００Ａによれば、表見返し部材２０のノート貼り付け面２４及び裏見返し部材３０のノート貼り付け面３４には別の両面テープ４２が貼り付けられているため、この別の両面テープ４２を用いることによって、リベットを用いることなく表紙部材１０Ａの間に複数冊のノートＮを綴じ込んで冊子とすることができる。このため、貴重な思い出の詰まったノートに孔を開けることなく、高級感溢れる豪華な冊子を作ることができるようになる。
【００４３】
また、本考案の製本キット１００Ａによれば、複数冊のノートＮ同士を貼り付けるための両面テープ４０を備えているため、極めて簡単な方法で（はさみやのりを用いることなく）、表紙部材の間に複数冊のノートＮをきれいに綴じ込んで冊子とすることができるようになる。
【００４４】
両面テープは、図１（ａ）に示すように、必要枚数の両面テープ４０を備えるようにしてもよいし、大判のシートに必要枚数の両面テープが貼り付けられた両面テープシート（図示せず。）を備えるようにしてもよい。
【００４５】
本考案の製本キット１００Ａにおいては、表紙部材１０Ａにおける背表紙１２Ａは角背タイプの背表紙である。このため、上記のように極めて簡便な方法で、本物の角背タイプの上製本に近い冊子を作製することができるようになる。
【００４６】
実施形態１に係る製本キット１００Ａは、図１（ａ）に示すように、複数冊のノートＮからなるノート集合体Ｎ１０の背部分Ｎ２０に貼り付ける花布５０をさらに備えている。このため、このような花布５０をノート集合体Ｎ１０の背Ｎ２０に貼り付けることによって、冊子にさらに高級感を付与することができる。
【００４７】
実施形態１に係る製本キット１００Ａにおいては、表紙部材１０Ａは布クロス製の表紙部材である。このため、上記したような冊子をさらに高級感溢れる冊子とすることができ、貴重な思い出の詰まったノートを一生の思い出になる素晴らしい冊子とすることができる。
【００４８】
実施形態１に係る製本キット１００Ａにおいては、表見開き部材２０及び／又は裏見開き部材３０には、使用者が書込み可能な書き込み欄が印刷されている（図示せず。）。このため、この書き込み欄に思い出メモを書き込むことができるようになり、冊子の価値をさらに高めることができる。
【００４９】
表見開き部材２０及び／又は裏見開き部材３０には、使用者が書込み可能なインデックスが貼り付けられていてもよい。この場合にも、このインデックスに思い出メモを書き込むことができるようになり、冊子の価値をさらに高めることができる。
【００５０】
本考案の製本キットは、実施形態１に係る製本キット１００Ａの構成に加えて、綴じ込むノートＮ（例えばＢ５版）と同じ平面サイズのノートをさらに備えたものであってもよい。このようにすれば、例えば、このノートに思い出メモを書き込んだり、写真や記念の品物を貼ったりすることができる、このノートを一緒に綴じ込むことにより、冊子の価値をさらに高めることができる。
【００５１】
Ｂ．製本キットの使用方法
図２は、本考案の実施形態１に係る製本キットの使用方法を説明するために示す図である。実施形態１に係る製本キット１００Ａは、例えば、図２に示すような方法で使用することができる。なお、以下の説明においては、適宜図１を参照する。
【００５２】
（ａ）まず、同じ大きさ（例えば、Ｂ５版）のノートＮを準備する。背４．３ｃｍ（厚さ）用の表紙部材１０Ａを用いる場合には、３０枚綴りの学習用ノートを１０冊程度綴じ込むことができる。そして、ノートＮの順番、天地を確認する。
（ｂ）ノートＮを布クロス製の表紙部材１０Ａにはさんで厚みを最終確認する。はさんだときに少しゆとりがあるように冊数を調整する。
【００５３】
（ｃ）まず、裏見返し部材３０の両面テープ４２をはがす。
（ｄ）そして、一番最後になるノートＮを裏見返し部材３０に貼る。その際、ノートＮの天地、左右の位置に注意しながら、ノートＮを裏見返し部材３０の外形に合わせて貼るようにする。表紙部材１０Ａにおける背表紙１２Ａの背を直角に立てたときノートＮが背に当たるような位置に貼る。
【００５４】
（ｅ）〜（ｆ）次に、両面テープ４０を用いて、ノートＮ同士を、２冊目、３冊目と順番に貼り合わせていく。両面テープ４０はノートＮの上下一杯に貼るようにする。
（ｇ）ノートＮ同士の貼り合わせは、正確に丁寧に行なう。この貼り合わせ作業で仕上がり具合が決まるので十分注意する。特にノートＮの外側を丁寧に合わせる。
【００５５】
（図なし）表見返し部材２０における両面テープ４２の剥離紙はそのままにして、ノートＮの厚さを再確認する。ややゆとりがあるように、冊数を調整する。厚すぎると仕上がりや見た目が悪くなる。
（ｈ）次に、表見返し部材２０における両面テープ４２の剥離紙を剥がし、複数冊のノートＮからなるノート集合体Ｎ１０の背Ｎ２０を表紙部材１０Ａにおける背表紙１２Ａに正確に合わせる。
【００５６】
（ｉ）静かに表紙部材１０Ａを閉じる。そのとき、ノート集合体Ｎ２０の背部分に花布５０を貼る。背側にぴったり合わせ、曲がらないように注意する。仕上がり確認をしたら、両手で丁寧に表紙部材１０Ａを強く押さえる。
（ｊ）最後に、背表紙１２Ａと表表紙１４及び裏表紙１６とのつなぎめの溝を定規等でなぞって、しっかりと溝をつける。
（ｋ）以上の工程で角背の上製本からなる冊子２００Ａが出来上がる。書棚に入れれば末永く保存できる。
【００５７】
［実施形態２]
Ａ．製本キットの構成
図３は、本考案の実施形態２に係る製本キットを説明するために示す図である。図３（ａ）は製本キットの構成を示す図であり、図３（ｂ）は、作製過程におけるノート集合体の斜視図（表紙部材１０Ｂ等は図示せず。）であり、図３（ｃ）は、作製された冊子の斜視図である。
【００５８】
実施形態２に係る製本キット１００Ｂは、図３（ｃ）に示すように、丸背タイプの表紙部材の間に複数冊のノートを綴じ込んで冊子２００Ｂとするための製本キットである。そして、図３（ａ）〜（ｃ）に示すように、丸背タイプの背表紙１２Ｂの両側縁に表表紙１４及び裏表紙１６が設けられた表紙部材１０Ｂと、表紙部材１０Ｂの表表紙１４に接着固定された表見返し部材２０と、表紙部材１０Ｂの裏表紙１６に接着固定された裏見返し部材３０と、複数冊のノートＮ同士を貼り付けるための両面テープ４０とを備え、表見返し部材２０のノート貼り付け面２４及び裏見返し部材３０のノート貼り付け面３４にはのどの部分に別の両面テープ４２が貼り付けられている。
【００５９】
このため、実施形態２に係る製本キット１００Ｂによれば、表見返し部材２０のノート貼り付け面２４及び裏見返し部材３０のノート貼り付け面３４には別の両面テープ４２が貼り付けられているため、この別の両面テープ４２を用いることによって、極めて簡便な方法で（はさみやのりを用いることなく）、ノートＮを表紙部材１０Ｂの間に綴じ込んで冊子とすることができる。
また、実施形態２に係る製本キット１００Ｂによれば、表見返し部材２０のノート貼り付け面２４及び裏見返し部材３０のノート貼り付け面３４には別の両面テープ４２が貼り付けられているため、この別の両面テープ４２を用いることによって、リベットを用いることなく表紙部材１０Ｂの間に複数冊のノートＮを綴じ込んで冊子とすることができる。このため、貴重な思い出の詰まったノートに孔を開けることなく、高級感溢れる豪華な冊子を作ることができるようになる。
【００６０】
また、実施形態２に係る製本キット１００Ｂによれば、複数冊のノートＮ同士を貼り付けるための両面テープ４０を備えているため、極めて簡単な方法で（はさみやのりを用いることなく）、表紙部材の間に複数冊のノートＮをきれいに綴じ込んで冊子とすることができるようになる。
【００６１】
両面テープは、図３（ａ）に示すように、必要枚数の両面テープ４０を備えるようにしてもよいし、大判のシートに必要枚数の両面テープが貼り付けられた両面テープシート（図示せず。）を備えるようにしてもよい。
【００６２】
実施形態２に係る製本キット１００Ｂにおいては、表紙部材１０Ｂにおける背表紙１２Ｂは丸背タイプの背表紙であり、この背表紙１２Ｂの内側には背側が背表紙１２Ｂの形状に対応する形状を有するとともに腹側が平面形状を有する背芯６０が貼り付けられている。このため、実施形態１に係る製本キット１００Ａの場合と同様の簡便な方法で、本物の丸背タイプの上製本に近い冊子を作製することができるようになる。
【００６３】
実施形態２に係る製本キット１００Ｂにおいては、図３（ａ）に示すように、表紙部材１０Ｂにおける背表紙１２Ｂと背芯６０との間には花布５２が取り付けられている。このため、冊子にさらに高級感を付与することができる。
【００６４】
実施形態２に係る製本キット１００Ｂにおいては、実施形態１に係る製本キット１００Ａの場合と同様に、表紙部材１０Ｂは布クロス製の表紙部材である。このため、上記したような冊子をさらに高級感溢れる冊子とすることができ、貴重な思い出の詰まったノートを一生の思い出になる素晴らしい冊子とすることができる。
【００６５】
実施形態２に係る製本キット１００Ｂにおいては、実施形態１に係る製本キット１００Ａの場合と同様に、表見開き部材２０及び／又は裏見開き部材３０には、使用者が書込み可能な書き込み欄が印刷されている（図示せず。）。このため、この書き込み欄に思い出メモを書き込むことができるようになり、冊子の価値をさらに高めることができる。
【００６６】
表見開き部材２０及び／又は裏見開き部材３０には、使用者が書込み可能なインデックスが貼り付けられていてもよい。この場合にも、このインデックスに思い出メモを書き込むことができるようになり、冊子の価値をさらに高めることができる。
【００６７】
本考案の製本キットは、実施形態２に係る製本キット１００Ｂの構成に加えて、綴じ込むノートＮ（例えばＢ５版）と同じ平面サイズのノートをさらに備えたものであってもよい。このようにすれば、例えば、このノートに思い出メモを書き込んだり、写真や記念の品物を貼ったりすることができる、このノートを一緒に綴じ込むことにより、冊子の価値をさらに高めることができる。
【００６８】
Ｂ．製本キットの使用方法
実施形態２に係る製本キット１００Ｂは、実施形態１に係る製本キット１００Ａとは、表紙部材として丸背タイプの表紙部材１０Ｂを用い、所定の花布５２及び所定の背芯６０を用いた点が異なっている。しかしながら、これ以外は同じ構成を有しており、実施形態１に係る製本キット１００Ａを使用する方法と同様の方法で使用することができる。
【００６９】
なお、実施形態１又は２に係る製本キットの使用方法において、両面テープ４０を用いてまずノート集合体Ｎ１０を作製し、その後、別の両面テープ４２を用いて表紙部材１０Ａ，１０Ｂにノート集合体Ｎ１０を綴じ込んで冊子を作製することもできる。
【００７０】
［実施形態３]
Ａ．製本キットの構成
図４は、本考案の実施形態３に係る製本キットを説明するために示す図である。図４（ａ）は製本キットの構成を示す図であり、図４（ｂ）は、作製過程におけるノート集合体の斜視図であり、図４（ｃ）は、作製された冊子の斜視図である。 
【００７１】
実施形態３に係る製本キット１００Ｃは、図４（ｃ）に示すように、丸背タイプの表紙部材の間に複数冊のノートを綴じ込んで冊子２００Ｃとするための製本キットである。そして、図４（ａ）〜（ｃ）に示すように、丸背タイプの背表紙１２Ｃの両側縁に表表紙１４及び裏表紙１６が設けられた表紙部材１０Ｃと、表紙部材１０Ｃの表表紙１４に接着固定された表見返し部材２０と、表紙部材１０Ｃの裏表紙１６に接着固定された裏見返し部材３０と、複数冊のノートＮ同士を接着してノート集合体Ｎ１０を作製するための液状接着剤８０と、ノート集合体Ｎ１０の背に貼る背貼り用紙７０とを備え、表見返し部材２０のノート貼り付け面２４及び裏見返し部材３０のノート貼り付け面３４にはのどの部分に両面テープ４２が貼り付けられている。
【００７２】
このため、実施形態３に係る製本キット１００Ｃによれば、表見返し部材２０のノート貼り付け面２４及び裏見返し部材３０のノート貼り付け面３４には両面テープ４２が貼り付けられているため、この両面テープ４２を用いることによって、極めて簡便な方法で（はさみやのりを用いることなく）、複数冊のノートＮを表紙部材１０Ｃの間に綴じ込んで冊子とすることができる。
また、実施形態３に係る製本キット１００Ｃによれば、表見返し部材２０のノート貼り付け面２４及び裏見返し部材３０のノート貼り付け面３４には両面テープ４２が貼り付けられているため、この両面テープ４２を用いることによって、リベットを用いることなく表紙部材１０Ｃの間に複数冊のノートＮを綴じ込んで冊子とすることができる。このため、貴重な思い出の詰まったノートに孔を開けることなく、高級感溢れる豪華な冊子を作ることができるようになる。
【００７３】
また、実施形態３に係る製本キット１００Ｃによれば、複数冊のノートＮ同士を接着してノート集合体Ｎ１０を作製するための液状接着剤８０を備えているため、比較的簡単な方法で、複数冊のノートＮ及び背貼り用紙７０からなるノート集合体７０を作製することができるようになり、結果として、比較的簡便な方法で、表紙部材１０Ｃの間に複数冊のノートＮを綴じ込んで冊子とすることができるようになる。
【００７４】
また、実施形態３に係る製本キット１００Ｃによれば、液状接着剤を用いて複数冊のノートＮからノート集合体Ｎ１０を作製するようにしているため、複数冊のノートＮを丸背タイプの背表紙１２Ｃのカーブに合わせて接着してノート集合体Ｎ１０とすることができる。また、背表紙１２Ｃの内側には丸背タイプの形状を有する背芯６２が貼り付けられている。このため、ノート集合体Ｎ１０の背の形状が少々不揃いな場合であっても、背表紙の形状を、しっかりとした丸背タイプの背表紙の形状とすることができる。
【００７５】
但し、本考案の製本キットにおいては、内側に背芯が貼り付けられていない背表紙を有する表紙部材を用いることもできる。このようにすれば、さらに本格的な丸背タイプの冊子を作成することができるようになる。
【００７６】
実施形態３に係る製本キット１００Ｃにおいては、複数冊のノートＮを丸背タイプに対応するように整列した状態でこれら複数のノートＮの背の部分に液状接着剤８０を付けるために用いる整列治具９０をさらに備えている。このため、整列治具９０の底面形状を丸背タイプの背表紙のカーブに合わせて作製しておけば、複数冊のノートＮを整列治具９０上で整列するだけの簡単な操作で、複数冊のノートＮ同士が丸背タイプの背表紙１２Ｃのカーブに対応するように整列したノート集合体Ｎ１０を作製することができるようになる。
【００７７】
実施形態３に係る製本キット１００Ｃは、背貼り用紙７０の背（肩の部分）に貼り付けるための花布５４をさらに備えている。このため、冊子にさらに高級感を付与することができるようになる。
【００７８】
実施形態３に係る製本キット１００Ｃにおいては、実施形態１に係る製本キット１００Ａの場合と同様に、表紙部材１０Ｃは布クロス製の表紙部材である。このため、上記したような冊子をさらに高級感溢れる冊子とすることができ、貴重な思い出の詰まったノートを一生の思い出になる素晴らしい冊子とすることができる。
【００７９】
実施形態３に係る製本キット１００Ｃにおいては、実施形態１に係る製本キット１００Ａの場合と同様に、表見開き部材２０及び／又は裏見開き部材３０には、使用者が書込み可能な書き込み欄が印刷されている（図示せず。）。このため、この書き込み欄に思い出メモを書き込むことができるようになり、冊子の価値をさらに高めることができる。
【００８０】
表見開き部材２０及び／又は裏見開き部材３０には、使用者が書込み可能なインデックスが貼り付けられていてもよい。この場合にも、このインデックスに思い出メモを書き込むことができるようになり、冊子の価値をさらに高めることができる。
【００８１】
本考案の製本キットは、実施形態３に係る製本キット１００Ｂの構成に加えて、綴じ込むノートＮ（例えばＢ５版）と同じ平面サイズのノートをさらに備えたものであってもよい。このようにすれば、例えば、このノートに思い出メモを書き込んだり、写真や記念の品物を貼ったりすることができる、このノートを一緒に綴じ込むことにより、冊子の価値をさらに高めることができる。
【００８２】
Ｂ．製本キットの使用方法
図５は、本考案の実施形態３に係る製本キットの使用方法を説明するために示す図である。実施形態３に係る製本キット１００Ｃは、例えば、図５に示すような方法で使用することができる。なお、以下の説明においては、適宜図４を参照する。
【００８３】
（ａ）まず、同じ大きさ（例えば、Ｂ５版）のノートＮを準備する。背４．３ｃｍ（厚さ）用の表紙部材１０Ｃを用いる場合には、３０枚綴りの学習用ノートを１０冊程度綴じ込むことができる。そして、ノートＮの順番、天地を確認する。
（ｂ）ノートＮを布クロス製の表紙部材１０Ｃにはさんで厚みを最終確認する。はさんだときに少しゆとりがあるように冊数を調整する。
【００８４】
（ｃ）確認したらノートＮだけ取り出す。
（ｄ）次に、紙製の整列治具９０に液状接着剤８０を入れる。コツは、液状接着剤８０を約３ｍｍ位の厚さにたっぷり入れることである。両端は少なめにするのもポイント。
【００８５】
（ｅ）〜（ｇ）整列治具９０の取手９２を開いて机等の上に静置し、この整列治具９０に複数冊のノートＮを差し込み、これらのノートＮを整列治具９０のカーブに合わせて天地をしっかり揃える。その後、整列治具９０の取手９２とノートＮとを手に取り、前後に軽くスライドさせて液状接着剤８０を複数冊のノートＮ同士の間にしみ込ませる。
【００８６】
（ｈ）次に、ノートＮを整列治具９０から取り出す。この際、複数冊のノートＮから構成されるノート集合体Ｎ１０がしっかり整列治具９０のカーブに沿った丸みになっているか、天地がしっかり揃っているかを確認して、この液状接着剤８０が乾かないうちに整列治具９０から取り出す。
（ｉ）整列治具９０に付いた液状接着剤８０を拭き取る。これは再使用することもできる。
【００８７】
（ｊ）次に、液状接着剤８０が乾かないうちに複数冊のノートＮからなるノート集合体Ｎ１０の背Ｎ２０に背貼り用紙７０を貼る。複数冊のノートＮ同士にずれがあったら、液状接着剤８０が乾かないうちに修正する。小口についている余分な液状接着剤８０を拭き取る。
（ｋ）複数冊のノートＮの上に重りを載せて１時間程度、液状接着剤８０を固化させる。
（ｌ）上記（ｋ）に代わりに、複数冊のノートＮにおける背側部分を紐で縛った状態で液状接着剤８０を固化させるようにしてもよい。縛る作業で中身のノートＮがしまり、仕上がりがきれいになる。
（ｍ）液状接着剤８０が固化したら、背貼り用紙７０の余分な部分をカッターで切り落とす。
【００８８】
（ｎ）次に、花布５４を背貼り用紙７０の天と地に貼る。
（ｏ）このとき、花布５４の裏・表に注意。
（ｐ）次に、再び表紙部材１０Ｃに挟んで、仕上がり具合を見る。このとき、中身の天地に注意する。縦書きノートＮは右綴じ。横書きノートＮは左綴じ。ノート集合体Ｎ１０は見返しで持たせるため、背貼り用紙７０には絶対に液状接着剤８０を付けないようにする。背貼り用紙７０と表紙部材１０Ｃとが接着されると本が開かなくなる。
【００８９】
（ｑ）〜（ｓ）次に、中身の天地の確認できたら、ノートＮの背側を表紙部材１０Ｃの背側に正確に位置合わせてしてから、両見返し部材２０，３０の両面テープ４２の剥離紙を剥がす。この際、中身のノート集合体Ｎ１０を表紙部材１０Ｃの背表紙１２Ｃに当てて表裏が均等になるように背側にぴったり合わせ、曲がらないように注意する。また、中身のノートＮと表紙部材１０Ｃとのチリ（余白）が均等になるようにする。
【００９０】
（ｓ）仕上がり確認をしたら、両手で丁寧に表紙部材１０Ｃを強く押さえる。
（ｔ）最後に、背表紙１２Ｃと表表紙１４及び裏表紙１６とのつなぎめの溝を定規等でなぞって、しっかりと溝をつける。
（ｕ）以上の工程で丸背の上製本からなる本格的な冊子２００Ｃが出来上がる。書棚に入れれば末永く保存できる。
【００９１】
以上、各実施形態に基づいて本考案の製本キットを説明したが、本考案は上記した各実施形態に限定されるものではない。
例えば、上記した各実施形態においては、ノートとしてＢ５版のノートを用いて製本する例を示したが、これには限られず他の大きさのノートを用いてもよい。この場合には、もちろん、そのノートの大きさに対応する大きさをもった表紙部材や両見返し部材を用いる。また、ノートの種類にも限定されず、種々の種類のノート（学習用ノート、雑記帳、家計簿など）を用いることができる。
また、上記した各実施形態においては、複数冊のノートを用いて製本する例を示したが、これには限られず大きさの揃っている複数枚のバラの用紙を用いてもよい。
また、上記した各実施形態においては、表紙部材として布クロスの表紙部材を用いて製本する例を示したが、これには限られず他の種類の表紙部材を用いてもよい。
【００９２】
また、上記した各実施形態においては、両面テープ４２が貼り付けられた表見返し部材２０及び裏見返し部材３０を用いたが、これらの見返し部材に代えて、両面テープが貼り付けられていない表見返し部材及び裏見返し部材を備えるようにすることもできる。この場合には、表裏の両見返し部材とノート又は用紙とを貼り付けるための両面テープとをさらに備えるようにすることが好ましい。
【００９３】
また、本考案の製本キットにおいては、製本した冊子の背表紙にタイトルや番号を付するようにすることもできる。このようにすれば、冊子に綴じられたノートの内容を容易に認識することができるようになり、これらのノートの利用価値をさらに高めることができるようになる。
【図面の簡単な説明】
【００９４】
【図１】本考案の実施形態１に係る製本キットを説明するために示す図。
【図２】本考案の実施形態１に係る製本キットの使用方法を説明するために示す図。
【図３】本考案の実施形態２に係る製本キットを説明するために示す図。
【図４】本考案の実施形態３に係る製本キットを説明するために示す図。
【図５】本考案の実施形態３に係る製本キットの使用方法を説明するために示す図。
【図６】従来の製本キットにより作製された冊子を分解して示す図。
【符号の説明】
【００９５】
１０Ａ，１０Ｂ，１０Ｃ…表紙部材、１２Ａ，１２Ｂ，１２Ｃ…背表紙、１４…表表紙、１６…裏表紙、２０…表見返し部材、２２…表表紙側の面、２４，３４…ノート貼り付け面、３０…裏見返し部材、３２…裏表紙側の面、４０，４２…両面テープ、５０，５２，５４…花布、６０、６２…背芯、７０…背貼り用紙、８０…液状接着剤、９０…整列治具、９２…取手、１００Ａ，１００Ｂ，１００Ｃ…製本キット、２００Ａ，２００Ｂ，２００Ｃ…冊子、９０１…表紙部材、９０１ａ…表表紙、９０１ｂ…裏表紙、９０１ｃ…背表紙、９０２ａ…表見返し部材、９２１ａ…表表紙対応部、９２３ａ…本体表面対応部、９０２ｂ…裏見返し部材，９２１ｂ…裏表紙対応部，９２３ｂ…本体裏面対応部，９０３…印刷用紙、Ｎ…ノート、Ｎ１０…ノート集合体、Ｎ２０…ノート集合体の背部分
【図１】
0003102013.tif 000003
【図３】
0003102013.tif 000004
【図４】
0003102013.tif 000005
【図６】
0003102013.tif 000006
【図２】
0003102013.tif 000007
【図５】
0003102013.tif 000008
【手続補正書】
【提出日】平成15年12月8日(2003.12.8)
【手続補正１】
【補正対象書類名】実用新案登録請求の範囲
【補正対象項目名】請求項１１
【補正方法】変更
【補正の内容】
【請求項１１】
請求項１〜１０のいずれかに記載の製本キットにおいて、
前記表見返し部材及び／又は前記裏見返し部材には、使用者が書込み可能な書き込み欄が印刷されている又は使用者が書込み可能なインデックスが貼り付けられていることを特徴とする製本キット。
【手続補正２】
【補正対象書類名】明細書
【補正対象項目名】００２３
【補正方法】変更
【補正の内容】
【００２３】
（７）上記（６）に記載の製本キットにおいては、前記背表紙の内側には丸背タイプの形状を有する背芯が貼り付けられていることも好ましい。
【手続補正３】
【補正対象書類名】明細書
【補正対象項目名】００２５
【補正方法】変更
【補正の内容】
【００２５】
（８）上記（６）又は（７）に記載の製本キットにおいては、複数冊のノートを丸背タイプに対応するように整列した状態でこれら複数のノートの背部分に前記液状接着剤を付けるために用いる整列治具をさらに備えたものであることが好ましい。
【手続補正４】
【補正対象書類名】明細書
【補正対象項目名】００３１
【補正方法】変更
【補正の内容】
【００３１】
（１１）上記（１）〜（１０）のいずれかに記載の製本キットにおいては、前記表見返し部材及び／又は前記裏見返し部材には、使用者が書込み可能な書き込み欄が印刷されている又は使用者が書込み可能なインデックスが貼り付けられていることが好ましい。
【手続補正５】
【補正対象書類名】明細書
【補正対象項目名】００４８
【補正方法】変更
【補正の内容】
【００４８】
実施形態１に係る製本キット１００Ａにおいては、表見返し部材２０及び／又は裏見返し部材３０には、使用者が書込み可能な書き込み欄が印刷されている（図示せず。）。このため、この書き込み欄に思い出メモを書き込むことができるようになり、冊子の価値をさらに高めることができる。
【手続補正６】
【補正対象書類名】明細書
【補正対象項目名】００４９
【補正方法】変更
【補正の内容】
【００４９】
表見返し部材２０及び／又は裏見返し部材３０には、使用者が書込み可能なインデックスが貼り付けられていてもよい。この場合にも、インデックスに思い出メモを書き込むことができるようになり、冊子の価値をさらに高めることができる。
【手続補正７】
【補正対象書類名】明細書
【補正対象項目名】００６５
【補正方法】変更
【補正の内容】
【００６５】
実施形態２に係る製本キット１００Ｂにおいては、実施形態１に係る製本キット１００Ａの場合と同様に、表見返し部材２０及び／又は裏見返し部材３０には、使用者が書込み可能な書き込み欄が印刷されている（図示せず。）。このため、この書き込み欄に思い出メモを書き込むことができるようになり、冊子の価値をさらに高めることができる。
【手続補正８】
【補正対象書類名】明細書
【補正対象項目名】００６６
【補正方法】変更
【補正の内容】
【００６６】
表見返し部材２０及び／又は裏見返し部材３０には、使用者が書込み可能なインデックスが貼り付けられていてもよい。この場合にも、インデックスに思い出メモを書き込むことができるようになり、冊子の価値をさらに高めることができる。
【手続補正９】
【補正対象書類名】明細書
【補正対象項目名】００７３
【補正方法】変更
【補正の内容】
【００７３】
また、実施形態３に係る製本キット１００Ｃによれば、複数冊のノートＮ同士を接着してノート集合体Ｎ１０を作製するための液状接着剤８０を備えているため、比較的簡単な方法で、複数冊のノートＮ及び背貼り用紙７０からなるノート集合体Ｎ１０を作製することができるようになり、結果として、比較的簡単な方法で、表紙部材１０Ｃの間に複数冊のノートＮを綴じ込んで冊子とすることができるようになる。
【手続補正１０】
【補正対象書類名】明細書
【補正対象項目名】００７９
【補正方法】変更
【補正の内容】
【００７９】
実施形態３に係る製本キット１００Ｃにおいては、実施形態１に係る製本キット１００Ａの場合と同様に、表見返し部材２０及び／又は裏見返し部材３０には、使用者が書込み可能な書き込み欄が印刷されている（図示せず。）。このため、この書き込み欄に思い出メモを書き込むことができるようになり、冊子の価値をさらに高めることができる。
【手続補正１１】
【補正対象書類名】明細書
【補正対象項目名】００８０
【補正方法】変更
【補正の内容】
【００８０】
表見返し部材２０及び／又は裏見返し部材３０には、使用者が書込み可能なインデックスが貼り付けられていてもよい。この場合にも、インデックスに思い出メモを書き込むことができるようになり、冊子の価値をさらに高めることができる。
【手続補正１２】
【補正対象書類名】明細書
【補正対象項目名】００８１
【補正方法】変更
【補正の内容】
【００８１】
本考案の製本キットは、実施形態３に係る製本キット１００Ｃの構成に加えて、綴じ込むノートＮ（例えばＢ５版）と同じ平面サイズのノートをさらに備えたものであってもよい。このようにすれば、例えば、このノートに思い出メモを書き込んだり、写真や記念の品物を貼ったりすることができ、このノートを一緒に綴じ込むことにより、冊子の価値をさらに高めることができる。
【手続補正１３】
【補正対象書類名】明細書
【補正対象項目名】００８８
【補正方法】変更
【補正の内容】
【００８８】
（ｎ）次に、花布５４を背貼り用紙７０の天と地に貼る。
（ｏ）このとき、花布５４の裏・表に注意。
（ｐ）次に、再び表紙部材１０Ｃに挟んで、仕上がり具合を見る。このとき、中身の天地に注意する。縦書きノートＮは右綴じ。横書きノートＮは左綴じ。ノート集合体Ｎ１０は見返しで持たせるため、背貼り用紙７０における背表紙１２Ｃ側の面には絶対に液状接着剤８０を付けないようにする。背貼り用紙７０と表紙部材１０Ｃとが接着されると本が開かなくなる。
【手続補正１４】
【補正対象書類名】明細書
【補正対象項目名】００８９
【補正方法】変更
【補正の内容】
【００８９】
（ｑ）〜（ｓ）次に、中身の天地が確認ができたら、ノートＮの背側を表紙部材１０Ｃの背側に正確に位置合わせしてから、両見返し部材２０，３０の両面テープ４２の剥離紙を剥がす。この際、中身のノート集合体Ｎ１０を表紙部材１０Ｃの背表紙１２Ｃに当てて表裏が均等になるように背側にぴったり合わせ、曲がらないように注意する。また、中身のノートＮと表紙部材１０Ｃとのチリ（余白）が均等になるようにする。